(57)【要約】光学式に鍵をかけるシステムを有するディスペンサは、例えば石けんなどの物質のある量を含有する取外し可能なリフィル容器を搭載するように構成された筺体を含む。取外し可能なリフィル容器は、人間には視覚的に知覚できない微視的なしるしを含み、その微視的なしるしは、認証コードのみならず、リフィル容器と関連付けられた様々な属性、例えばそれのサイズ、物質種類及び製造日などを識別する参照コードを含む。最終的に、ディスペンサは、リフィル容器がディスペンサでの使用のために認証を受けているかどうかを判断するために、微視的な又は人間には視覚的に知覚できないしるしによって定義された認証コードを読み取るように構成された光学センサを含む。【選択図】図３
2014523329.tif 000002
【特許請求の範囲】
【請求項１】
光学式に鍵をかけるシステムを有するディスペンサにおいて、
交換可能なリフィル容器の上に配置された微視的なしるしを有する当該交換可能なリフィル容器と、
前記交換可能なリフィル容器を取外し可能に搭載するように構成された筺体と、
前記筺体に搭載されるコントローラと、
前記コントローラに結合され、前記交換可能なリフィル容器と流体連通するように構成されたポンプと、
前記コントローラに結合され、前記交換可能なリフィル容器から物質を注出するために前記ポンプを作動するように構成されたアクチュエータと、
前記コントローラに結合された光学センサであって、前記微視的なしるしから認証コードを識別するために、前記交換可能なリフィル容器から前記微視的なしるしを読み取るように構成された光学センサと、
を備え、
前記認証コードが認証を受けていない場合、前記コントローラは前記ディスペンサを無効にし、前記認証コードが認証を受けている場合、前記コントローラは前記ディスペンサを有効にする、ディスペンサ。
【請求項２】
前記アクチュエータは手動で操作される、請求項１に記載のディスペンサ。
【請求項３】
前記アクチュエータは近接センサを備える、請求項１に記載のディスペンサ。
【請求項４】
前記アクチュエータはバイオメトリックセンサを備える、請求項１に記載のディスペンサ。
【請求項５】
前記物質が泡として起泡チップノズルから注出されるように、前記ポンプと流体連通する当該起泡チップノズルを更に備える、請求項１に記載のディスペンサ。
【請求項６】
前記ポンプは蠕動ポンプを備える、請求項１に記載のディスペンサ。
【請求項７】
前記光学センサは、前記リフィル容器と関連付けられた１つ以上の属性を識別する参照コードを前記微視的なしるしから検出する、請求項１に記載のディスペンサ。
【請求項８】
前記コントローラに結合されたインジケータを更に備え、前記インジケータは、前記ディスペンサの動作と関連付けられた１つ以上の状態条件を識別するように構成される、請求項１に記載のディスペンサ。
【請求項９】
前記微視的なしるしが前記光学センサによって検出されない場合、前記コントローラは前記ディスペンサを無効にする、請求項１に記載のディスペンサ。
【請求項１０】
前記筺体は、取付けベースの下に取り付けられるように適合される、請求項１に記載のディスペンサ。
【発明の詳細な説明】
【技術分野】
【０００１】
関連出願の相互参照
この出願は、２０１１年７月２１日に出願された米国仮出願第６１／５１０，３５５号の利益を請求するものであり、その仮出願の内容は、参照によって本明細書に組み込まれる。
【０００２】
本発明は、一般に、注出システムに関するものである。特に、本発明は、ディスペンサの中に装着され使用されることになる認証を受けたリフィル容器だけを許容するように鍵をかけられたディスペンサに関するものである。より詳細には、本発明は、リフィル容器を認証するために、人間の目には視覚的に知覚できないリフィル容器上に配置された微視的なしるしを読み取るために光学センサを使用するディスペンサのための光学式に鍵をかけるシステムに関するものである。
【背景技術】
【０００３】
様々な液体物質、例えば、石けん、抗菌性クレンザー、パウダー、エアロゾル、殺菌剤、ローション、及び同様のものなどを注出するために使用されるディスペンサは、例えば、レストラン、工場、病院、及びバスルームを含む様々な状況において使用される。一般に、そのようなディスペンサは、ユーザが、ディスペンサの中に搭載される交換可能なリフィル容器から物質のある量を注出するためにレバーを物理的に押すか引くときに手動で作動される。あるいは、「手を用いない」自動式ディスペンサは、ユーザの手の存在が検出センサの近接にもたらされるときに、そのディスペンサから物質を注出するように構成される。
【０００４】
更に、そのようなディスペンサは、通常、壁又は他の垂直表面に取り付けられ、物質は、ディスペンサの底部で出口又はノズルから注出される。あるいは、カウンター取付け注出システムと呼ばれるディスペンサは、シンクの洗面器近くのカウンタートップに組み込まれることができ、それによって、注出システムの一定の構成要素は、カウンタートップの下に位置するが、出口を含む他の構成要素は、カウンタートップの上方に位置する。その上、ディスペンサはまた、様々な他の構成、例えば、例えばカウンターもしくはテーブルトップなどの水平表面上にあるテーブルトップ式ディスペンサ、又は取付け棒に付けられ、立てて取り付けられた注出システムなどで提供されてもよい。
【０００５】
ディスペンサは貯蔵器内に例えば石けんなどの物質のある量を直接保持し得るが、そのようなディスペンサは、汚いものであるのみならず、サービスすることが困難であることが分かっており、一方ではまた、汚染や健康の問題も与える。結果として、物質のある量を保持し、その物質を注出するためのポンプ及びノズル機構を提供する交換可能なリフィル容器は、それらが容易に装着され交換される一方で、事実上汚くないものであるので、ますます普及が進んでいる。
【０００６】
ディスペンサ製造業者は、特定のディスペンサで使用されるように許可されたか認証を受けた特定のリフィル容器を制御することが望ましいことを見出した。つまり、いくつかの状況では、不正確な物質の使用は、ユーザやそのユーザと接触する者の健康に打撃を与える可能性があるので、ディスペンサ製造業者は、適切なリフィル容器（製品の種類、濃度、物質形状など）が正確なディスペンサ筺体に挿入されることの確保に関心があり得る。例えば、保湿ローションなどの別の流体ではなく、抗菌性の石けんを、前外科的な洗浄場所において病院職員に抽出させることは必須である。従って、認証を受けたリフィル容器だけが、対応するディスペンサ内において装着され得、使用され得るように、ディスペンサ製造業者は、特定のリフィル容器だけを用いる使用のためにディスペンサに鍵をかけることが多い。ディスペンサ製造業者及び関連するリフィル容器配給業者はまた、ディスペンサが、彼らが供給するリフィル容器だけで詰め替えられ得、低品質又は整合性に欠ける品質である可能性がある第３者の製造業者によって供給されたリフィル容器では詰め替えられ得ないことを確実にするために、そのような鍵をかけるシステムを信頼する。
【０００７】
機械式に鍵をかけるシステムは、適切なリフィル容器が正確なディスペンサ内に装着されることを確実にするために現在使用され、役立っているが、そのような鍵をかけるシステムは、多くの欠点がある。例えば、機械式の鍵は、容易に取り外されるか変えられることが多く、認証を受けていないリフィル容器がディスペンサ内に容易に装着されることを可能にする一方で、また、製造業者／配給業者が、ディスペンサ内で使用される物質の質を制御する能力を失わさせる。機械式に鍵をかけるシステムはまた、製造業者に複数の種類のディスペンサ及びリフィル容器のための鍵を設計することを要求し、それは、製造業者によって被られるかなりの工具費を必要とする。換言すれば、各ディスペンサは、特定のリフィル容器、特定の配給業者、及び特定の位置のために鍵をかけられ得る。このことは、様々な鍵でリフィル容器を保守するためにかなりの在庫費用を結果としてもたらし、また、そのようなリフィル容器を製造するためのリードタイムを生じさせ、そのリードタイムは、実質的に長いであろう。最終的に、ディスペンサのための特定の鍵をかける装置が破損したかダメージを受けた際には、それは、どの種類の鍵をかける構成がリフィル容器に必要とされているかを判断するという難しい状況を生む可能性がある。
【０００８】
その上、現行の鍵をかけるシステムは、一度使用されたものが捨てられるという再利用不可能なリフィル容器で構成され、それ故、ゴミ処理地を無駄に使うことや廃棄費用の増加に寄与する。
【発明の概要】
【発明が解決しようとする課題】
【０００９】
従って、実施することが簡単なディスペンサ及びリフィル容器のための光学式に鍵をかけるシステムが必要である。加えて、低コストの光学式に鍵をかけるシステムが必要である。更に、耐久性があり、動作間違いをしにくい光学式に鍵をかけるシステムが必要である。更にまた、再利用可能なリフィル容器を用いて使用され得る光学式に鍵をかけるシステムが必要である。
【課題を解決するための手段】
【００１０】
上記を考慮して、本発明の第１の態様は、光学式に鍵をかけるシステムを有するディスペンサを提供するためのものである。
【００１１】
本発明の別の態様は、再利用され得る及び再利用可能なリフィル容器を用いて使用され得る光学式に鍵をかけるシステムを有するディスペンサを提供するためのものである。
【００１２】
本発明の更に別の態様は、リフィル容器の少なくとも一部上に配置された微視的なしるしを検出するために筺体内に光学センサを含む、上記のような、光学式に鍵をかけるシステムを有するディスペンサを提供するためのものである。
【００１３】
本発明のなお更に別の態様は、認証を受けた認証コードを伴うリフィル容器が装着されない限り、システムの作動を阻止する、上記のような、注出システムを提供するためのものである。
【００１４】
一般に、ディスペンサは、そこから物質を注出するための容器を提供する。ディスペンサは、リフィル容器を受け入れるように構成された筺体と、リフィル容器から物質の少なくとも一部を注出するためにポンプを作動するように構成されたアクチュエータと、そのリフィル容器上に配置された微視的な又は視覚的に知覚できないしるしを検出するか読み取るように構成された光学センサと、を含む。
【００１５】
本発明の少なくとも１つの態様によれば、ディスペンサは、アクチュエータと、光学センサと、リフィル容器がディスペンサでの使用のために認証を受けているかどうかを判断するために光学センサによって検出可能な微視的な又は視覚的に知覚できないしるしを含むリフィル容器とを有する筺体を含む。
【００１６】
本発明の少なくとも１つの態様によれば、ディスペンサ内の認証を受けていないリフィル容器の使用を阻止する方法は、アクチュエータと光学センサとを有するディスペンサ筺体を提供することと、微視的な又は視覚的に知覚できないしるしを有するリフィル容器を提供することとを含み、しるしは、光学センサによって検出可能であり、しるしが認証を受けていない場合、ディスペンサは、その物質の注出を阻止するために無効にされる。
【００１７】
本発明の別の態様は、交換可能なリフィル容器の上に配置された微視的なしるしを有する交換可能なリフィル容器と、リフィル容器を取外し可能に搭載するように構成された筺体と、筺体に搭載されるコントローラと、コントローラに結合され、交換可能なリフィル容器と流体連通するように構成されたポンプと、コントローラに結合されたアクチュエータであって、交換可能なリフィル容器から物質を注出するためにポンプを作動するように構成されたアクチュエータと、コントローラに結合された光学センサであって、認証コードを識別するために交換可能なリフィル容器から微視的なしるしを読み取るように構成された光学センサと、を備える光学式に鍵をかけるシステムを有するディスペンサであって、認証コードが認証を受けていない場合、コントローラがディスペンサを無効にし、認証コードが認証を受けている場合、コントローラがディスペンサを有効にする、ディスペンサを提供するためのものである。
【００１８】
本発明のこれらの及び他の特徴や利点は、以下の記載、添付の特許請求の範囲、及び付随の図面に関してより良く理解されるであろう。
【図面の簡単な説明】
【００１９】
【図１】本発明の概念に従う光学式に鍵をかけるシステムを有するディスペンサの正面斜視図である。
【図２】本発明の概念に従うディスペンサでの使用のための光学式に鍵をかけるシステムの構成要素を示すブロック図である。
【図３】本発明の概念に従うディスペンサのカラー（ｃｏｌｌａｒ）部分の斜視図である。
【図４】本発明の概念に従う図３に示されたディスペンサの部分の側断面図である。
【図４Ａ】本発明の概念に従うラベルの上に微視的な又は視覚的に知覚できないしるしを載せるラベルの平面図である。
【図５】本発明の概念に従うディスペンサ内に収容されるときのディスペンサのリフィル容器の正面立面図である。
【図６】本発明の概念に従う光学式に鍵をかけるシステムを有するディスペンサの代替の実施形態の斜視図である。
【図７】本発明の概念に従う光学式に鍵をかけるシステムを有するディスペンサの別の代替の実施形態の裏面立面図であり、ディスペンサは、本発明の概念に従う取付けベースの下に取り付けられるように構成されている。
【図８】本発明の概念に従う図７のディスペンサの斜視図である。
【発明を実施するための形態】
【００２０】
光学式に鍵をかけるシステムを有するディスペンサは、図１〜図５の図面に示されるように、数字１０によって一般に表わされる。ディスペンサ１０は、垂直表面に固定されるように適合されたバックプレート１４を含む筺体１２と、バックプレート１４に対して旋回可能なカバー１６とを含む。カバー１６は、ディスペンサ１０の内部構成要素に接近することを許容し、ディスペンサ１０の内部を見ることを可能にするように窓１８を含み得る。そのように、カバー１６は、ラベルの上に配置されたしるし２６を有するラベル２４を含有するリフィル容器２２を装着するか取り外すために、取り外され得、そのしるしは、リフィル容器２２がディスペンサ１０での使用のために認証を受けているかどうかを判断するために部分的に使用される様々な所定の参照コードを定義する。本明細書中で使用される際、用語「しるし」は、任意の微視的なマーク、刻み目、又は同様のもの、例えば、人間の目によって見ることはできないが、記述されることになるものなどの任意の適切な画像装置によって読み取られることが可能である１つ以上の微視的な印刷された点などとして定義されることを理解されたい。その上、しるし２６は、例示目的に限って点の組み合わせとして、図面に示され、使用の間、そのしるしは、人間の目によって見る場合には視覚的に知覚できないことを理解されたい。また、しるし２６は、印刷あるいは任意の他の機械的及び／又は電気的プロセスを含む任意の適切な手段を用いて、ラベル２４に付され得ることも理解されたい。
【００２１】
ディスペンサ１０はまた、それによって提供されるポンプ３６の動作を制御するように構成された制御回路３０を含む。詳細には、ポンプ３６は、記述される機能を実行するために必要なハードウェアやソフトウェアを含む、図２に示されるコントローラ３８に結合される。ポンプ３６は、そこと流体連通するリフィル容器２２から液体物質を注出するように構成される。その上、ポンプ３６は、リフィル容器２２から流体のある量を注出することが可能な任意の適切なポンプ、例えば、プランジャーもしくはピストンポンプ、膜ポンプ、ベローズポンプ、蠕動ポンプ、又は任意の他の適切な容積型ポンプなどを備え得る。制御回路３０はまた、コントローラ３８に結合されるアクチュエータ４０であって、ユーザによって係合されるか作動されるときにポンプ３６の動作を始動するように構成されたアクチュエータ４０を含む。一態様では、アクチュエータ４０は、ユーザによって手動で作動されるボタン又はスイッチを備えてもよく、あるいは、アクチュエータ４０は、手を用いない手法でポンプ３６の動作を始動するように、ユーザの手の存在を検出するように構成された近接センサ又は他のセンサ、例えばバイオメトリックセンサなどを備えてもよい。インジケータ４６はまた、コントローラ３８に結合され、ディスペンサ１０の動作と関連付けられた様々な状態条件であって、限定されるものではないが、ディスペンサ１０がオン又はオフであるかどうか、サービスがディスペンサ１０に必要とされているかどうか、あるいは、リフィル容器２２が交換を必要としているかどうかを含む様々な状態条件を識別するために様々な手法（色／連続）で照らすように構成される。インジケータ４６は、任意の適切な光源、例えば発光ダイオード（ＬＥＤ）などを備え得る。ラベル２４上に配置されたしるし２６を検出するか画像化するために、光学センサ５０、例えばカメラ、スキャナ、又は任意の他の適切な画像装置は、コントローラ３８に結合される。制御回路３０の構成要素は、電源５２によって動力を供給され、その電源は、バッテリ、標準電気コンセントから供給されるＡ．Ｃ．（交流）幹線電力、光電池、及び同様のものを含む任意の適切な電力源を備え得る。
【００２２】
加えて、リフィル容器２２は、ディスペンサ１０の筺体１２内に取外し可能に保持されるように構成される。一態様では、リフィル容器２２は貯蔵器５４を含み、その貯蔵器は、限定されるものではないが、石けん、手の消毒剤、モイスチャライザー、ジェル、泡、ローション、又は同様のものを含む任意適切な物質を含有し得る。いくつかの実施形態では、リフィル容器２２は、リフィル容器２２のそばに搭載されるポンプ機構３６の周りに位置付けられ得るカラー５８を含み得る。カラー５８は、筺体内にリフィル容器２２を固定するために、ディスペンサ１０の筺体１２内に収容されるように構成される。図面に示される実施形態では、カラー５８は、一般に、円筒形状であるが、筺体１２内に収容される任意適切な形状及び／又は寸法に構成されてもよい。
【００２３】
ラベル２４は、光学センサ５０による光学検出及びコントローラ３８による後続の処理のためにラベルの上にしるし２６を載せる。一態様では、ラベル２４は、リフィル容器２２へのそれの付着を容易にするために接着剤を用いて構成され得る。システム１１によって利用されるラベル２４は、光学センサ５０の光学視野と実質的に整列される限り、カラーに５８又は各リフィル容器２２と関連付けられた貯蔵器５４に付され得る。例えば、図３及び図４に示されるように、光学センサ５０は、ディスペンサ１０のバックプレート１４に取り付けられ得、その結果、カラー５８に付着されるラベル２４上に配置されるしるし２６を見るか画像化するために、適切に整列される。しかしながら、図１及び図５に共に示されるように、光学センサ５０は、リフィル容器２２の貯蔵器５４に付着されるラベル２４上に載せられたしるし２６と適切に整列されるように、ディスペンサ１０のカバー１６の内部に取り付けられ得る。一態様では、光学センサ５０と、視覚的に知覚できない微視的なしるし２６を生成するためのシステムとは、例えばＡｌｐｖｉｓｉｏｎ，Ｓ．Ａ．社によって販売に出されたシステムを含み得る。
【００２４】
しるし２６の特定の構成は参照コードを定義し、その参照コードは、限定されるものではないが、リフィル容器２２の貯蔵器５４内に搭載される物質の種類（石けん、消毒剤、モイスチャライザー）、リフィル容器２２の貯蔵器５４内の物質の量、リフィル容器２２の製造日、及び同様のものを含む様々な情報又は属性を含む。参照コードはまた、リフィル容器２２がディスペンサ１０での使用のために認証を受けているかどうかを判断するために、コントローラ３８によって処理されるよう構成された所定の認証コードを含み得る。それ故、許容可能な認証コードを有する所定のリフィル容器２２だけが、ディスペンサ１０の動作を有効にする。
【００２５】
ディスペンサ１０の動作の間、リフィル容器２２は、ディスペンサ１０に挿入され、光学センサ５０は、ラベル２４上に配置されたしるし２６を画像化する。次いで、コントローラ３８は、参照コードを識別し、そのコード内に含有される情報を処理する。一態様では、コントローラ３８は、参照コードを取得し、リフィル容器２２と関連付けられた認証コードが、特定のディスペンサ１０での使用のために認証を受けているかどうかを判断する。リフィル容器２２と関連付けられた認証コードがコントローラ３８によって認証を受けている場合には、コントローラ３８は、アクチュエータ４０（又はポンプ３６）の動作を有効にし、その結果、リフィル容器２２からの物質は、そこから注出され得る。逆に、リフィル容器２２と関連付けられた認証コードが、認証を受けていないか光学センサ５０によって検出可能ではない場合には、コントローラ３８は、アクチュエータ４０を無効にし、それ故、物質がディスペンサ１０から注出されることを阻止する。例えば、コントローラ３８は、様々な認証技術を用いてしるし２６によって提供された１つ以上の認証コードを認証するように予めプログラムされ得る。そのように、ディスペンサ１０の製造業者は、特定のディスペンサ１０によって使用され得る特定のリフィル容器２２上の制御を保守することができる。また、異なるしるし２６が、様々な製品と顧客を区別するために異なるリフィルユニットに提供され得ることも予想される。
【００２６】
次に、図６を参照すると、代替のディスペンサが示され、数字６０によって一般に指示される。ディスペンサ６０は、ポンプ３６が参照数字６２によって示された蠕動ポンプとして構成されることと、リフィル容器２２が代替のリフィル容器６３と交換されることとを除外して、ディスペンサ１０と構造上及び動作上等しいものであり、上記した制御回路３０を利用する。そのように、ディスペンサ６０は、回転駆動プレートに作動的に結合されるモータードライブ（図示されない）によって駆動される回転駆動プレート６６によって支えられる複数の回転係合部材６４を含む蠕動ポンプ６２を含む。リフィル容器６３は、付着アダプタ７２を経由してリフィル容器６３に一端で流体結合される可撓性出口管６８を含む。一定の実施形態では、出口管６８の他端は、起泡チップノズル７４に結合され得る。出口管６８は、ディスペンサ１０に旋回可能に及び取外し可能に付着されるガイド７６によって回転係合部材６４に対して圧縮保持される。それ故、係合部材６４が、回転しガイド７６に対して出口管６８を圧縮する際に、リフィル容器６３に搭載される液体物質、例えば石けんなどは出口管６８の中に引かれるかポンピングされ、加圧下で起泡チップノズル７４に押し込まれ、ここで、空気は、加圧された液体物質に導入され、その液体物質に空気を通してそのノズルから注出される泡にする。
【００２７】
ディスペンサ６０は、筺体８０と、それに付着され、開閉位置間を移動し得る旋回ドア８２とを含む。枠部８４は、筺体７０内に配置され、その筺体は、その中に置かれたリフィル容器６３を収容し支持するための保持袋８６を提供する。ディスペンサ６０は、上で前述したように、制御回路３０を利用し、それによって、筺体８０が光学センサ５０を含むように構成され、その光学センサ５０は、リフィル容器６３に付着されたラベル２４上に配置されたしるし２６を画像化するように構成される。しかしながら、しるし２６は、リフィル容器５７の任意の部分上に配置され得ることと、光学センサ５０は、光学センサ５０がしるし２６を画像化することを可能にするために、しるし２６の位置に隣接する筺体８０上の位置、例えばドア８２上などに、位置付けられることとが考えられる。
【００２８】
次に図７及び図８を参照すると、ディスペンサの更なる代替の実施形態が、数字１００によって一般に示される。ディスペンサ１００は、前に記述した制御回路３０を利用し、取付けベース１０２に取り付けられるように構成される。例えば、取付けベース１０２は、カウンタートップ表面、例えば、トイレ内で人の手を洗うために使用される洗面所のシンクを支持するために使用されるものなどを備え得る。取付けベース１０２は、上部表面１０４及び反対の下部表面１０６を含み、任意の適切な物質、例えば木材、プラスチック、又はセラミックなどから形成されたディスペンサ１００の取り付けに適した任意の構造を備え得る。
【００２９】
ディスペンサ１００は、出口管１１４経由でリフィル容器１１２と流体連通するノズル１１０を含む。リフィル容器１１２に搭載される液体物質、例えば液体石けん、消毒剤、モイスチャライザー、又は同様のものは、出口管１１４と操作的に連通するポンプ１１６によって出口管１１４経由でそこからポンピングされる。描写された実施形態では、ポンプ１１６は、蠕動ポンプを備え、コントローラ３０に結合されるが、任意の適切なポンプ構成を備えてもよい。液体物質が出口管１１４を通過する際に、その液体物質は、ノズル１１０内に保持された起泡チップ（図示しない）によって液体から泡に換えられ得、それは、出口管１１４と流体連通する。加えて、蠕動ポンプ１１６、リフィル容器１１２、及びディスペンサ１００の様々な他の構成要素は、それらが、取付けベース１０２の下部表面１０６に付けられる支持ブラケット１２０によって取付けベース１０２の下に吊らされるように、床から離れて吊らされる。そのように、ディスペンサ１００の構成要素は、取付けベースの下の床の空間をとらずに、取付けベース１０２の下に隠され、ユーザの視界から隠れることが可能である。詳細には、リフィル容器１１２は、支持ブラケット１２０に取外し可能に付けられるキャリア１２１によって支持される。
【００３０】
光学センサ５０は、図７に示されるように、キャリア１２１に挿入されるリフィル容器１１２上に搭載されたラベル２４上に配置されたしるし２６を検出するか画像化するためにキャリア１２１の内部上に搭載される。しかしながら、しるし２６を載せたラベル２４は、リフィル容器１１２の任意の部分上に提供され得るが、光学センサ５０は、リフィル容器１１２の一部を含有するしるし２６の位置に隣接する位置に位置付けられ得ることが考えられる。あるいは、ラベル２４が、図８に示されるようにリフィル容器１１２によって提供されたカラー１２２に付着される場合、光学センサ５０は、ディスペンサ１００の支持ブラケット１２０又はキャリア１２１に固定され得る。前に記述したように、アクチュエータ４０の動作は、リフィル容器１１２が、ディスペンサ１００での使用のために互換性があることを示すために、しるし２６を処理した後に、コントローラ３８が認証を受けた認証コードを検出しない限り、阻止される。
【００３１】
従って、本発明の１つの利点は、光学式に鍵をかけるシステムが安価であることと実施が容易であることである。本発明の別の利点は、光学式に鍵をかけるシステムの光学センサが耐久性のあることと間違いをしにくいことである。本発明の光学式に鍵をかけるシステムの更に別の利点は、人間には視覚的に知覚できない微視的なしるしが、リフィル容器、例えば再利用可能なリフィル容器などの上に配置可能であることである。本発明のなお更に別の利点は、光学式に鍵をかけるシステムの微視的な、視覚的に知覚できないしるしが、リフィル容器の表面上のスペースの最小量しか必要とせず、しるしがその上に不連続的に配置されることを可能にすることである。
【００３２】
それ故、本発明の目的は、上述の使用のための構造及びそれの方法によってかなえられていることが理解できる。特許法に従って、最良の形態及び好適な実施形態のみが、詳細に提示され記載されたが、発明は、それらに及びそれらによって限定されないことが理解される。従って、発明の真の範囲や広がりの理解のために、参照が、以下の特許請求の範囲になされるべきである。
【図１】
2014523329.tif 000003
【図２】
2014523329.tif 000004
【図３】
2014523329.tif 000005
【図４】
2014523329.tif 000006
【図４Ａ】
2014523329.tif 000007
【図５】
2014523329.tif 000008
【図６】
2014523329.tif 000009
【図７】
2014523329.tif 000010
【図８】
2014523329.tif 000011
【国際調査報告】
2014523329.tif 000012
2014523329.tif 000013